(57)【要約】【課題】プレートの脱落がなく、安価でかつ使い勝手がよく清掃性、安全性に優れた組込み型加熱調理器を提供することを目的とする。【解決手段】外郭ケース５と、その上面開口を覆い外郭ケース５と一体的なトップフレームユニット７とを備え、トップフレームユニット７は、調理面を構成するプレート８とプレートの外周を覆い接着剤９でプレートと固定されたトップフレーム１０で構成され、外郭ケース５は、トップフレーム１０と反対側のプレート８の外周下面を支持するフランジ部５ａを設けたものである。これによって、プレート８への荷重負荷に対しては、主として外郭ケース５のフランジ部５ａで支持することになり、接着強度の問題はなくプレートの脱落はない。しかも、外郭ケース５のフランジ部５ａを用いているため、安価でかつ使い勝手がよく清掃性、安全性に優れたものとなる。【選択図】図１
2008196789.tif 000002
【特許請求の範囲】
【請求項１】
内蔵部品を覆った外郭ケースと、外郭ケースの上面開口を覆い外郭ケースと一体的なトップフレームユニットとを備え、前記トップフレームユニットは、調理面を構成するプレートとプレートの外周を覆い接着剤でプレートと固定されたトップフレームで構成され、前記外郭ケースは、トップフレームと反対側のプレートの外周下面を支持するフランジ部を設けた組込み型加熱調理器。
【請求項２】
外郭ケースのフランジ部には、プレートの外周下面を弾性支持するバネ性を有した凸支持部を設けた請求項１に記載の組込み型加熱調理器。
【請求項３】
外郭ケースのフランジ部には凸支持部に加えて、トップフレームの内壁に当接する補強突出部を設けた請求項２に記載の組込み型加熱調理器。
【請求項４】
トップフレームの前方下面に操作パネルを装備し、この操作パネルにはプレート前方の下面に当接しプレートを支持する凸支持リブを設けた請求項１〜３のいずれか１項に記載の組込み型加熱調理器。
【請求項５】
操作パネルには凸支持リブに加えて、プレート前方の下面に当接しプレートを支持するバネ性の前支持板を設けた請求項４に記載の組込み型加熱調理器。
【請求項６】
操作パネルはその一部が外郭ケースのフランジ部にて支持されるようにした請求項４または５に記載の組込み型加熱調理器。
【請求項７】
トップフレームの後方下面に、プレート後方下面を支持する支持具を設けた請求項１〜６のいずれか１項に記載の組込み型加熱調理器。
【発明の詳細な説明】
【技術分野】
【０００１】
本発明は、一般家庭のキッチンカウンター内に組み込まれる組込み型加熱調理器に関するものである。
【背景技術】
【０００２】
従来、この種の組込み型加熱調理器においては、調理面を構成するプレートを金属製のトップフレーム下面に接着剤で接着して固定し、このトップフレームを、内蔵部品を覆った外郭ケースとビス固定することにより、プレートを外郭ケースに装備するものが提案されている（例えば、特許文献１参照）。
【特許文献１】特開２００６−２００８３７号公報
【発明の開示】
【発明が解決しようとする課題】
【０００３】
しかしながら、前記従来の構成では、プレートはトップフレーム下面に接着されているだけであるため、プレートに鍋や調理物により荷重負荷がかかると、プレートとトップフレームの接着強度の信頼性が懸念されるものである。万が一、接着不備があればプレート上に大きな荷重がかかると、プレートがトップフレームから脱落し、内蔵部品である加熱装置や充電部に手を触れる恐れがある。
【０００４】
これを防ぐために、プレートの下方に板金製のアンダーフレームを設け、プレートをトップフレームとアンダーフレームで挟み込んで保持することも考えられるが、コンパクトキッチンなどに組み込まれる、例えば１口型の加熱調理器などでは、アンダーフレームを構成するスペースを確保することが困難で、しかも構成できても部品単価、金型費用の負担が大きく、実用上の問題があった。
【０００５】
本発明は、前記従来の課題を解決するもので、プレートの脱落がなく、安価でかつ使い勝手がよく清掃性、安全性に優れた組込み型加熱調理器を提供することを目的とする。
【課題を解決するための手段】
【０００６】
前記従来の課題を解決するために、本発明の組込み型加熱調理器は、内蔵部品を覆った外郭ケースと、外郭ケースの上面開口を覆い外郭ケースと一体的なトップフレームユニットとを備え、前記トップフレームユニットは、調理面を構成するプレートとプレートの外周を覆い接着剤でプレートと固定されたトップフレームで構成され、前記外郭ケースは、トップフレームと反対側のプレートの外周下面を支持するフランジ部を設けたものである。
【０００７】
これによって、プレートへの調理中の鍋、調理物などの荷重負荷に対しては、主として外郭ケースのフランジ部で支持することになり、接着強度の問題はなくプレートの脱落はない。しかも、外郭ケースのフランジ部を用いているため、安価でかつ使い勝手がよく清掃性、安全性に優れたものとなる。
【発明の効果】
【０００８】
本発明の組込み型加熱調理器は、プレートの脱落がなく、安価でかつ使い勝手がよく清掃性、安全性に優れたものとなる。
【発明を実施するための最良の形態】
【０００９】
第１の発明は、内蔵部品を覆った外郭ケースと、外郭ケースの上面開口を覆い外郭ケースと一体的なトップフレームユニットとを備え、前記トップフレームユニットは、調理面を構成するプレートとプレートの外周を覆い接着剤でプレートと固定されたトップフレームで構成され、前記外郭ケースは、トップフレームと反対側のプレートの外周下面を支持するフランジ部を設けた組込み型加熱調理器とすることにより、プレートへの調理中の鍋、調理物などの荷重負荷に対しては、主として外郭ケースのフランジ部で支持することになり、接着強度の問題はなくプレートの脱落はない。しかも、外郭ケースのフランジ部を用いているため、安価でかつ使い勝手がよく清掃性、安全性に優れたものとなる。
【００１０】
第２の発明は、特に、第１の発明において、外郭ケースのフランジ部には、プレートの外周下面を弾性支持するバネ性を有した凸支持部を設けたことにより、プレートの厚み寸法ばらつき、組立寸法ばらつきを吸収してプレートを支持することができ、プレート調理面に動荷重や落下衝撃が加わった場合でも、弾性力によりプレートが欠けたり、割れたりする恐れがなく強固なプレート支持強度を得ることができる。
【００１１】
第３の発明は、特に、第２の発明において、外郭ケースのフランジ部には凸支持部に加えて、トップフレームの内壁に当接する補強突出部を設けたことにより、製品運送時などで製品に落下衝撃が加わっても、補強突出部が作用し、フランジ部の凸支持部が永久変形することがなく、プレートを支持することができる。
【００１２】
第４の発明は、特に、第１〜第３のいずれか１つの発明において、トップフレームの前方下面に操作パネルを装備し、この操作パネルにはプレート前方の下面に当接しプレートを支持する凸支持リブを設けたことにより、プレート前方にかかる下方への荷重に対して凸支持リブでプレートを支持して機械的に保持することができる。
【００１３】
第５の発明は、特に、第４の発明において、操作パネルには凸支持リブに加えて、プレート前方の下面に当接しプレートを支持するバネ性の前支持板を設けたことにより、プレートの厚み寸法ばらつき、組立寸法ばらつきを吸収してプレートを支持することができ、プレート調理面に動荷重や落下衝撃が加わった場合でも、弾性力によりプレートが欠けたり、割れたりする恐れがなく強固なプレート支持強度を得ることができる。
【００１４】
第６の発明は、特に、第４または第５の発明において、操作パネルはその一部が外郭ケースのフランジ部にて支持されるようにしたことにより、プレート調理面から下方にかかる荷重に対して操作パネルの下方への変形や、強度不足を補いプレートを支持する凸支持リブが下方に逃げてプレートを支持できなくなるのを防止することができる。
【００１５】
第７の発明は、特に、第１〜第６のいずれか１つの発明において、トップフレームの後方下面に、プレート後方下面を支持する支持具を設けたことにより、プレート後方にかかる下方への荷重に対して支持具でプレートを支持して機械的に保持することができる。
【００１６】
以下、本発明の実施の形態について、図面を参照しながら説明する。なお、この実施の形態によって本発明が限定されるものではない。
【００１７】
（実施の形態１）
図１は、本発明の実施の形態１における組込み型加熱調理器を示すものである。
【００１８】
図に示すように、調理器の本体１は、加熱装置（ここでは誘導加熱方式）２、制御装置３、冷却ファン４などの内蔵部品を覆った外郭ケース５と、外郭ケース５の上面開口を覆いビスなどの取付具６で外郭ケース５と互いに一体的に嵌合、固定したトップフレームユニット７とで構成している。
【００１９】
トップフレームユニット７は、調理面を構成するガラス製のプレート８と、プレート８の外周を覆い接着剤９の加熱硬化でプレート８と固定された金属製のトップフレーム１０で構成され、プレート８の対向する少なくとも２辺の外周は外郭ケース５の上面開口を覆うように大きく構成している。
【００２０】
外郭ケース５は、トップフレーム１０と反対側のプレート８の外周下面を支持するフランジ部５ａを設けている。外郭ケース５のフランジ部５ａは、外郭ケース５の開口上方にプレート８の面と略同一平面を構成するように上方へ突出形成されており、プレート８の外周下面と左右両側で部分的もしくは面状に当接し支持している。
【００２１】
そして、調理器の本体１を構成する外郭ケース５と外郭ケース５が取付具６で一体的に締め付けられることにより、プレート８は外郭ケース５のフランジ部５ａとトップフレーム１０で挟持される構成となっている。調理器の本体１は、フランジ部５ａの下面がキッチン天面１０ａに当接するようにキッチンに組み込まれている。
【００２２】
以上のように構成された組込み型加熱調理器について、以下その動作、作用を説明する。
【００２３】
まず、制御装置３により加熱装置２が加熱されると、外郭ケース５の内蔵部品は温度上昇し続ける。したがって部品および製品の性能確保のため、一定温度以上温度上昇しないように冷却ファン４により冷却される。このときプレート８は調理物を載置する台として、また、同時に本体１に内蔵された充電部品、高温部品から使用者をガードする絶縁体あるいは保護部品として安全を確保する構成となっている。そのプレート８はトップフレーム１０との接着支持とフランジ部５ａによる機械的支持で強度を保持し、プレート８に調理物の入った鍋などの大きな荷重がかかっても、接着剤９が剥がれることはない。すなわち、プレート８が本体１の内方に脱落してトップフレーム１０との隙間を生じることはなく、使用者が安全に使い勝手よく調理することができるよう作用する。
【００２４】
なお、外郭ケース５は金属製でも樹脂製でもよく、本実施の形態の作用を満足するものであればよい。また加熱装置２の熱源は誘導加熱方式に限られるものではない。
【００２５】
（実施の形態２）
図２、図３は、本発明の実施の形態２における組込み型加熱調理器を示している。実施の形態１と基本構成は同様であるので、同一要素については同一符号を付して説明は省略する。
【００２６】
本実施の形態では、外郭ケース５の左右のフランジ部５ａには、プレート８の外周下面を弾性支持するバネ性を有した凸支持部１１を６箇所同一形状で設けている。凸支持部１１はステンレス製の板バネを使用してフランジ部５ａにかしめて固定している。フランジ部５ａは上方へ突出形成されていても、突出形成されていなくともよい。他は実施の形態１と同一である。
【００２７】
以上のように構成された組込み型加熱調理器は、プレート８の下面を、バネ性を有した凸支持部１１で弾性支持することで付勢力が働き、プレート８の板厚寸法ばらつきや組立時の寸法ばらつきを加味したプレート８への当接代が確保でき、圧接力を大きく確保できると同時に落下衝撃やプレート８への動荷重に対して衝撃を吸収するように作用する。
【００２８】
これにより、組込み型加熱調理器はプレートの脱落がなく、安価でかつ使い勝手がよく清掃性、安全性に優れたものとなる。
【００２９】
（実施の形態３）
図４、図５は、本発明の実施の形態３における組込み型加熱調理器を示している。実施の形態１、２と基本構成は同様であるので、同一要素については同一符号を付して説明は省略する。
【００３０】
本実施の形態では、外郭ケース５のフランジ部５ａには凸支持部１１に加えて、トップフレーム１０の内壁に当接する補強突出部２１を設けたものである。他は実施の形態１、２と同一である。
【００３１】
以上のように構成された組込み型加熱調理器は、プレート８に大きな荷重がかかると、フランジ部５ａの下面はキッチントップ面１０ａに載置されているため、プレート８に当接している凸支持部１１に大きな負荷がかかる。このとき、凸支持部１１に加わる荷重をトップフレーム１０に当接した補強突出部２１で分散させ、凸支持部１１の永久変形を防止するように作用する。
【００３２】
これにより、組込み型加熱調理器はプレートの脱落がなく、安価でかつ使い勝手がよく清掃性、安全性に優れたものとなる。
【００３３】
（実施の形態４）
図６は、本発明の実施の形態４における組込み型加熱調理器を示している。実施の形態１と基本構成は同様であるので、同一要素については同一符号を付して説明は省略する。
【００３４】
本実施の形態では、トップフレーム１０の前方下面に樹脂製の操作パネル３１を装備し、この操作パネル３１にはプレート８前方の下面に当接しプレート８を支持する凸支持リブ３３を設けたものである。すなわち、トップフレーム１０の前方に開口した穴から制御装置３を操作するためのスイッチを配設するために、操作パネル３１が操作部ビス３２で固定されている。同時に操作パネル３１のプレート８近傍に凸支持リブ３３を設けてプレート８の下面に当接し支持する構成としている。他は実施の形態１と同一である。
【００３５】
以上のように構成された組込み型加熱調理器は、プレート８の前方に大きな荷重が加わっても操作パネル３１の凸支持リブ３３がプレート８の前面下方を機械的に支持して接着補強するように作用する。
【００３６】
これにより、組込み型加熱調理器はプレートの脱落がなく、安価でかつ使い勝手がよく清掃性、安全性に優れたものとなる。
【００３７】
（実施の形態５）
図７は、本発明の実施の形態５における組込み型加熱調理器を示している。実施の形態１、４と基本構成は同様であるので、同一要素については同一符号を付して説明は省略する。
【００３８】
本実施の形態では、操作パネル３１には凸支持リブ３３に加えて、プレート８前方の下面に当接しプレート８を支持するステンレス製板バネよりなる前支持板４１を固定ビス４２で締結固定したものである。他は実施の形態１、４と同一である。
【００３９】
以上のように構成された組込み型加熱調理器は、操作パネル３１が操作スイッチを構成するため、プレート８前方下面への大きな荷重負荷に対して、樹脂製の凸支持リブ３３は変形しやすく、操作スイッチの押し圧力のばらつきが、ボタン押しの感触に大きな影響を与えやすい。そこでバネ性を有した前支持板４１によりばらつきを吸収し、操作パネルの変形を軽減してボタン押しの感触を安定させるとともに荷重および衝撃などによるプレート８の欠け、割れを防止するように作用する。
【００４０】
これにより、組込み型加熱調理器はプレートの脱落がなく、安価でかつ使い勝手がよく清掃性、安全性に優れたものとなる。
【００４１】
（実施の形態６）
図８は、本発明の実施の形態６における組込み型加熱調理器を示している。実施の形態１、４と基本構成は同様であるので、同一要素については同一符号を付して説明は省略する。
【００４２】
本実施の形態では、操作パネル３１の左右両側面を延長して延長支持部５１を設け、この延長支持部５１を外郭ケース５の左右側面のフランジ部５ａに当接させ、プレート８を間接的に支持する構成としている。すなわち、操作パネル３１はその一部が外郭ケース５のフランジ部部５ａにて支持されるようにしたものである。他は実施の形態１、４と同一である。
【００４３】
以上のように構成された組込み型加熱調理器は、プレート８前方下面への大きな荷重負荷に対して、樹脂で構成され凸支持リブ３３は変形しやすく、操作スイッチの押し圧力のばらつきが、ボタン押しの感触に大きな影響を与えやすい。延長支持部５１を外郭ケース５のフランジ部５ａに当接させることで操作パネル３１の変形を軽減してボタン押しの感触を安定させるとともに荷重および衝撃などによるプレート８の欠け、割れを防止するように作用する。
【００４４】
これにより、組込み型加熱調理器はプレートの脱落がなく、安価でかつ使い勝手がよく清掃性、安全性に優れたものとなる。
【００４５】
（実施の形態７）
図９は、本発明の実施の形態７におけるにおける組込み型加熱調理器を示している。実施の形態１と基本構成は同様であるので、同一要素については同一符号を付して説明は省略する。
【００４６】
本実施の形態では、トップフレーム１０の後方下面に取付具６１をスポット溶接し、トップフレーム１０の下面にプレート８を接着した後、板状の支持具６２を取付具６１と固定ビス６３で締結して、プレート８をトップフレーム１０と支持具６２で挟み込み支持する構成としている。他は実施の形態１と同一である。
【００４７】
以上のように構成された組込み型加熱調理器は、プレート８をトップフレーム１０に接着した直後に支持具６２でプレート８を挟み込み、支持することでプレート８後方下面への大きな荷重負荷に対して、機械的支持で後方の強度向上を図り、プレート８を強固に保持固定するように作用する。
【００４８】
これにより、組込み型加熱調理器はプレートの脱落がなく、安価でかつ使い勝手がよく清掃性、安全性に優れたものとなる。
【００４９】
上記した各実施の形態１〜７の構成は、必要に応じて適宜組み合わせて構成することができるものであり、実施の形態そのものの構成に限定されるものではない。
【産業上の利用可能性】
【００５０】
以上のように、本発明にかかる組込み型加熱調理器は、プレートの脱落がなく、安価でかつ使い勝手がよく清掃性、安全性に優れたものとなるので、熱源に限定されることなくプレート有する全ての加熱調理器に適用できる。
【図面の簡単な説明】
【００５１】
【図１】本発明の実施の形態１における組込み型加熱調理器の要部断面図
【図２】本発明の実施の形態２における組込み型加熱調理器の要部断面図
【図３】同組込み型加熱調理器の平面図
【図４】本発明の実施の形態３における組込み型加熱調理器の要部断面図
【図５】同組込み型加熱調理器の要部斜視図
【図６】本発明の実施の形態４における組込み型加熱調理器の要部断面図
【図７】本発明の実施の形態５における組込み型加熱調理器の要部断面図
【図８】本発明の実施の形態６における組込み型加熱調理器の平面図
【図９】本発明の実施の形態７における組込み型加熱調理器の要部断面図
【符号の説明】
【００５２】
１  本体
２  加熱装置
３  制御装置
４  冷却ファン
５  外郭ケース
５ａ  フランジ部
６、６１  取付具
７  トップフレームユニット
８  プレート
９  接着剤
１０  トップフレーム
１１  凸支持部
２１  補強突出部
３１  操作パネル
３２  操作部ビス
３３  凸支持リブ
４１  前支持板
５１  延長支持部
６２  支持具
【図１】
2008196789.tif 000003
【図２】
2008196789.tif 000004
【図３】
2008196789.tif 000005
【図４】
2008196789.tif 000006
【図５】
2008196789.tif 000007
【図６】
2008196789.tif 000008
【図７】
2008196789.tif 000009
【図８】
2008196789.tif 000010
【図９】
2008196789.tif 000011